(57)【要約】  保守装置（１８）は、例えば、時計（２０）、時計（２１）、選択部（２３）、及び記録部（２５）を備える。時計（２０）は、時刻情報を出力する。時計（２１）は、時刻情報を出力する。選択部（２３）は、時計（２０）及び時計（２１）の少なくとも１つを使用時計として選択する。記録部（２５）は、使用時計からの時刻情報をエレベーター情報に付して記録する。また、選択部（２３）は、記録部（２５）が記録するエレベーター情報の内容に応じて使用時計を選択する。
2019239561.tif 000002
【特許請求の範囲】
【請求項１】
時刻情報を出力する複数の時計と、
前記複数の時計の少なくとも１つを使用時計として選択する選択手段と、
前記使用時計からの時刻情報をエレベーター情報に付して記録する記録手段と、
を備え、
前記選択手段は、前記記録手段が記録するエレベーター情報の内容に応じて使用時計を選択する保守装置。
【請求項２】
選択テーブルを記憶する記憶手段を更に備え、
前記選択テーブルに、時刻情報を付して記録する必要があるエレベーター情報の内容毎に使用時計の情報が登録された請求項１に記載の保守装置。
【請求項３】
時刻情報を出力する複数の時計と、
前記複数の時計の少なくとも１つを使用時計として選択する選択手段と、
前記使用時計からの時刻情報をエレベーター情報に付して送信する送信手段と、
を備え、
前記選択手段は、前記送信手段が送信するエレベーター情報の内容に応じて使用時計を選択する保守装置。
【請求項４】
選択テーブルを記憶する記憶手段を更に備え、
前記選択テーブルに、時刻情報を付して送信する必要があるエレベーター情報の内容毎に使用時計の情報が登録された請求項３に記載の保守装置。
【請求項５】
時刻情報を出力する複数の時計と、
前記複数の時計の１つを使用時計として選択する選択手段と、
前記使用時計からの時刻情報に応じて、エレベーターのサービス又は保守に関する特定動作を開始する動作制御手段と、
を備え、
前記選択手段は、前記動作制御手段が行う特定動作の内容に応じて使用時計を選択する保守装置。
【請求項６】
選択テーブルを記憶する記憶手段を更に備え、
前記選択テーブルに、時刻情報に応じて開始する必要がある特定動作の内容毎に使用時計の情報が登録された請求項５に記載の保守装置。
【請求項７】
前記複数の時計に、第１時計と第２時計とが含まれ、
前記第２時計は、前記第１時計からの時刻情報に対するオフセット値を時刻情報として出力する請求項１から請求項６の何れか一項に記載の保守装置。
【請求項８】
前記複数の時計のそれぞれの時刻を調整するための時刻調整手段を更に備えた請求項１から請求項６の何れか一項に記載の保守装置。
【請求項９】
時刻調整手段を更に備え、
前記複数の時計に、第１時計と第２時計とが含まれ、
前記時刻調整手段は、前記第１時計から出力される時刻情報をエレベーターの制御装置から受信した時刻情報に合わせ、前記第２時計から出力される時刻情報を外部機関から受信した時刻情報に合わせる請求項１から請求項６の何れか一項に記載の保守装置。
【請求項１０】
昇降路を移動するかごと、
前記かごの移動を制御する制御装置と、
前記制御装置に接続された、請求項１から請求項６の何れか一項に記載の前記保守装置と、
前記保守装置に接続された通信装置と、
を備えたエレベーター装置。
【請求項１１】
前記保守装置は、前記複数の時計のそれぞれの時刻を調整するための時刻調整手段を更に備えた請求項１０に記載のエレベーター装置。
【請求項１２】
前記保守装置は、時刻調整手段を更に備え、
前記複数の時計に、第１時計と第２時計とが含まれ、
前記時刻調整手段は、前記第１時計から出力される時刻情報を前記制御装置から受信した時刻情報に合わせ、前記第２時計から出力される時刻情報を前記通信装置が外部から受信した時刻情報に合わせる請求項１０に記載のエレベーター装置。
【発明の詳細な説明】
【技術分野】
【０００１】
この発明は、保守装置とエレベーター装置とに関する。
【背景技術】
【０００２】
特許文献１に、エレベーターを監視するためのシステムが記載されている。特許文献１に記載されたシステムでは、標準時刻を示す信号を受信すると、受信した信号に合わせて時計が調整される。
【先行技術文献】
【特許文献】
【０００３】
【特許文献１】日本特開２００４−２５０１１６号公報
【発明の概要】
【発明が解決しようとする課題】
【０００４】
特許文献１に記載されたシステムでは、標準時刻に合わせて時計が調整される。このため、データ送信等の機能は、標準時刻に基づいて行われる。【０００５】
しかし、エレベーター装置があるビルに据え付けられている場合に、ビル管理用の時計に合わせて特定の機能が行われるようにそのビルのオーナーから要求されることがある。また、外部機関から、当該機関が指定する時計に合わせて特定の機能が行われるように要求されることもある。特許文献１に記載されたシステムでは、時計を１つしか備えていないため、このような要求に応えることができなかった。【０００６】
この発明は、上述のような課題を解決するためになされた。この発明の目的は、複数の時計を利用して特定の機能を実現できる保守装置と、そのような保守装置を備えたエレベーター装置とを提供することである。
【課題を解決するための手段】
【０００７】
この発明に係る保守装置は、時刻情報を出力する複数の時計と、複数の時計の少なくとも１つを使用時計として選択する選択手段と、使用時計からの時刻情報をエレベーター情報に付して記録する記録手段と、を備える。選択手段は、記録手段が記録するエレベーター情報の内容に応じて使用時計を選択する。【０００８】
この発明に係る保守装置は、時刻情報を出力する複数の時計と、複数の時計の少なくとも１つを使用時計として選択する選択手段と、使用時計からの時刻情報をエレベーター情報に付して送信する送信手段と、を備える。選択手段は、送信手段が送信するエレベーター情報の内容に応じて使用時計を選択する。【０００９】
この発明に係る保守装置は、時刻情報を出力する複数の時計と、複数の時計の１つを使用時計として選択する選択手段と、使用時計からの時刻情報に応じて、エレベーターのサービス又は保守に関する特定動作を開始する動作制御手段と、を備える。選択手段は、動作制御手段が行う特定動作の内容に応じて使用時計を選択する。【００１０】
この発明に係るエレベーター装置は、昇降路を移動するかごと、かごの移動を制御する制御装置と、制御装置に接続された上記保守装置と、保守装置に接続された通信装置と、を備える。
【発明の効果】
【００１１】
この発明に係る保守装置は、例えば、複数の時計、選択手段、及び記録手段を備える。選択手段は、記録手段が記録するエレベーター情報の内容に応じて使用時計を選択する。記録手段は、使用時計からの時刻情報をエレベーター情報に付して記録する。このような保守装置によれば、複数の時計を利用したエレベーター情報の記録が可能になる。
【図面の簡単な説明】
【００１２】
【図１】実施の形態１におけるエレベーター装置を備えたシステムの例を示す図である。
【図２】保守装置の例を示す図である。
【図３】保守装置の動作例を示すフローチャートである。
【図４】保守装置の他の動作例を示すフローチャートである。
【図５】保守装置の他の動作例を示すフローチャートである。
【図６】保守装置のハードウェア資源の例を示す図である。
【図７】保守装置のハードウェア資源の他の例を示す図である。
【発明を実施するための形態】
【００１３】
添付の図面を参照し、本発明を説明する。重複する説明は、適宜簡略化或いは省略する。各図において、同一の符号は同一の部分又は相当する部分を示す。
【００１４】
実施の形態１．
図１は、実施の形態１におけるエレベーター装置１を備えたシステムの例を示す図である。図１に示すエレベーターシステムは、例えばエレベーター装置１、データセンター２、及びコールセンター３を備える。エレベーター装置１は、外部と通信するための通信装置４を備える。データセンター２は、サーバ５を備える。コールセンター３は、監視端末６、及び電話７を備える。監視端末６及び電話７は、オペレーター８によって使用される。
【００１５】
エレベーター装置１は、例えばＩＰネットワーク９を介してデータセンター２と通信する。通信装置４は、ＩＰネットワーク９を介してサーバ５に接続される。エレベーター装置１は、例えばＩＰネットワーク９を介してコールセンター３と通信する。通信装置４は、ＩＰネットワーク９を介して電話７に接続される。コールセンター３は、例えばＩＰネットワーク１０を介してデータセンター２と通信する。監視端末６は、ＩＰネットワーク１０を介してサーバ５に接続される。
【００１６】
本実施の形態において、ＩＰネットワークは、通信プロトコルとしてＩＰ（Ｉｎｔｅｒｎｅｔ  Ｐｒｏｔｏｃｏｌ）を用いた通信ネットワークである。例えば、ＩＰネットワーク９は、クローズドネットワークである。ＩＰネットワーク１０は、クローズドネットワークである。ＩＰネットワーク９及び１０の代わりに、オープンネットワークが用いられても良い。
【００１７】
図１は、データセンター２とコールセンター３とが離れた場所に存在する例を示す。サーバ５、監視端末６、及び電話７は、１つのセンターに備えられても良い。データセンター２とコールセンター３とが離れた場所に存在する場合、コールセンター３は、エレベーター装置１が設置されている国に設置されることが好ましい。例えば、コールセンター３は、エレベーター装置１が設置されている地域毎に設置される。但し、コールセンター３は、エレベーター装置１が設置されている地域とは異なる地域に設置されても良い。例えば、１つのコールセンター３が、複数の地域に設置されているエレベーター装置１と通信しても良い。
【００１８】
データセンター２は、エレベーター装置１が設置されている地域に設置されなくても良い。データセンター２は、エレベーター装置１が設置されている地域に設置されても良いし、エレベーター装置１が設置されている地域とは異なる地域に設置されても良い。また、データセンター２は、エレベーター装置１が設置されている国に設置されなくても良い。データセンター２は、エレベーター装置１が設置されている国に設置されても良いし、エレベーター装置１が設置されている国とは異なる国に設置されても良い。例えば、日本に設けられたサーバ５が各国に設置されたエレベーター装置１と通信しても良い。
【００１９】
エレベーター装置１は、例えばかご１１及びつり合いおもり１２を備える。かご１１は、昇降路１３を上下に移動する。かご１１及びつり合いおもり１２は、主ロープ１４によって昇降路１３に吊り下げられる。主ロープ１４は、巻上機１５の駆動綱車１６に巻き掛けられる。巻上機１５は、制御装置１７によって制御される。即ち、制御装置１７は、かご１１の移動を制御する。制御装置１７に保守装置１８が接続される。通信装置４は、保守装置１８に接続される。
【００２０】
図１に示す例では、かご１１に、インターホン１９が設けられる。インターホン１９は、かご１１に乗っている人がコールセンター３にいるオペレーター８と話をするための装置である。
【００２１】
図２は、保守装置１８の例を示す図である。図２に示すように、保守装置１８は、例えば時計２０、時計２１、処理部２２、選択部２３、及び記憶部２８を備える。
【００２２】
時計２０は、時刻情報を出力する。時計２１は、時刻情報を出力する。時計２０は、例えば「年月日時分秒」を表す情報を時刻情報として出力する。同様に、時計２１は、「年月日時分秒」を表す情報を時刻情報として出力する。時計２０が「年月日時分秒」を表す情報を時刻情報として出力する場合、時計２１は、時計２０からの時刻情報に対するオフセット値を時刻情報として出力しても良い。時計２１が「年月日時分秒」を表す情報を時刻情報として出力する場合、時計２０は、時計２１からの時刻情報に対するオフセット値を時刻情報として出力しても良い。上記オフセット値は、例えば時差情報でも良い。
【００２３】
図２は、最も簡単な例として、保守装置１８が２つの時計を備える例を示す。保守装置１８は、３つ以上の時計を備えても良い。保守装置１８に備えられた各時計は、時刻情報を出力する。
【００２４】
保守装置１８は、エレベーターの保守を行うために必要な各種機能を備える。保守装置１８が備える各機能は、処理部２２によって実現される。なお、保守装置１８が備える機能には、時刻情報を必要とするものがある。本実施の形態では、保守装置１８が備える機能のうち時刻情報を必要とするものについて詳しく説明する。
【００２５】
処理部２２は、例えば記録部２５、送信部２６、及び動作制御部２７を備える。記録部２５は、時刻情報を必要とする機能を実現する手段の一例である。記録部２５は、エレベーターに関する情報に時刻情報を付して記録する。記録部２５による情報の記録先は、保守装置１８でも制御装置１７でも良い。以下の説明では、エレベーターに関する情報のことを単にエレベーター情報ともいう。送信部２６は、時刻情報を必要とする機能を実現する手段の一例である。送信部２６は、エレベーター情報に時刻情報を付して外部に送信する。例えば、送信部２６による情報の送信は、通信装置４を介して行われる。動作制御部２７は、時刻情報を必要とする機能を実現する手段の一例である。動作制御部２７は、時刻情報に応じて、エレベーターのサービス又は保守に関する特定の動作を開始させる。以下の説明では、エレベーターのサービス又は保守に関する特定の動作のことを単に特定動作ともいう。
【００２６】
以下に、図３から図５も参照し、保守装置１８が備える機能について詳しく説明する。図３は、保守装置１８の動作例を示すフローチャートである。
【００２７】
保守装置１８では、記録条件が成立したか否かが判定される（Ｓ１０１）。記録条件は、記録部２５がエレベーター情報の記録処理を開始するための条件である。記録条件は予め設定される。一例として、保守装置１８が特定の内容のエレベーター情報を制御装置１７から受信すると、記録条件は成立する。
【００２８】
記録条件が成立すると、選択部２３は、記録部２５が記録処理を行う際に使用する時計を選択する（Ｓ１０２）。以下の説明では、選択部２３が選択する時計のことを使用時計ともいう。Ｓ１０２では、選択部２３は、保守装置１８が備える時計の中から少なくとも１つの時計を使用時計として選択する。本実施の形態に示す例であれば、選択部２３は、時計２０又は時計２１を使用時計として選択する。選択部２３は、時計２０及び時計２１の双方を使用時計として選択しても良い。例えば、選択部２３は、記録部２５が記録するエレベーター情報の内容に応じて使用時計の選択を行う。
【００２９】
記憶部２８に、選択部２３が使用時計を選択するためのテーブルが記憶される。以下の説明では、このテーブルのことを選択テーブルともいう。例えば、選択テーブルに、時刻情報を付して記録する必要があるエレベーター情報の内容毎に、使用時計の情報が登録される。かかる場合、選択部２３は、Ｓ１０２において、記録するエレベーター情報の内容と選択テーブルとに基づいて使用時計を選択する。表１は、選択テーブルの例を示す図である。
【００３０】
【表１】
2019239561.tif 000003
【００３１】
例えば、表１に示す選択テーブルが記憶部２８に記憶されている場合を考える。かかる場合、エレベーター装置１の電源がオフになったことを示す情報を記録部２５が記録するのであれば、選択部２３は、時計２０を使用時計として選択する。エレベーター装置１に備えられた特定の基板に故障が発生したことを示す情報を記録部２５が記録するのであれば、選択部２３は、時計２１を使用時計として選択する。かご１１に備えられた照明装置に球切れが発生したことを示す情報を記録部２５が記録するのであれば、選択部２３は、時計２０及び時計２１の双方を使用時計として選択する。
【００３２】
記録部２５は、選択部２３が選択した使用時計からの時刻情報をエレベーター情報に付して記録する（Ｓ１０３）。例えば、記録部２５は、選択部２３が時計２０を使用時計として選択すると、時計２０からの時刻情報をエレベーター情報に付して記録処理を行う。記録部２５は、選択部２３が時計２１を使用時計として選択すると、時計２１からの時刻情報をエレベーター情報に付して記録処理を行う。記録部２５は、選択部２３が時計２０及び時計２１の双方を使用時計として選択すると、時計２０からの時刻情報と時計２１からの時刻情報とをエレベーター情報に付して記録処理を行う。
【００３３】
図３に示す例であれば、複数の時計を利用したエレベーター情報の記録が可能になる。例えば、時計２０は、ビル管理用の時計に合わせられる。時計２１は、エレベーター装置１の保守用の時計に合わせられる。保守に必要なエレベーター情報に時計２１からの時刻情報を付して記録しておけば、例えば保守員が後から故障解析を行う場合に、解析処理を容易に行うことができる。例えば、ビル管理用の時計に狂いが生じていても、故障解析に必要なエレベーター情報を時系列に並べることができる。また、ビル管理に必要なエレベーター情報に時計２０からの時刻情報を付して記憶しておけば、例えば、ビル管理においてエレベーター情報と他のシステムからの管理情報とを一元的に扱うことが可能になる。
【００３４】
時計２０或いは時計２１は、例えば外部機関から指定された時計に合わせられても良い。また、保守装置１８は、３つ目の時計を備え、その時計が外部機関から指定された時計に合わせられても良い。上記外部機関には、例えばエレベーターに関連する機関、地方公共団体の機関、及び国の機関等が含まれる。かかる場合は、その外部機関において、エレベーター情報と他のシステムからの情報とを一元的に扱うことができる。
【００３５】
図４は、保守装置１８の他の動作例を示すフローチャートである。図４に示す例では、保守装置１８において、送信条件が成立したか否かが判定される（Ｓ２０１）。送信条件は、送信部２６がエレベーター情報の送信処理を開始するための条件である。送信条件は予め設定される。一例として、保守装置１８が特定の内容のエレベーター情報を制御装置１７から受信すると、送信条件は成立する。保守装置１８が特定の内容のエレベーター情報を制御装置１７から受信した際に、記録条件と送信条件との双方が成立しても良い。
【００３６】
送信条件が成立すると、選択部２３は、送信部２６が送信処理を行う際に使用する時計を選択する（Ｓ２０２）。Ｓ２０２では、選択部２３は、保守装置１８が備える時計の中から少なくとも１つの時計を使用時計として選択する。本実施の形態に示す例であれば、選択部２３は、時計２０又は時計２１を使用時計として選択する。選択部２３は、時計２０及び時計２１の双方を使用時計として選択しても良い。例えば、選択部２３は、送信部２６が送信するエレベーター情報の内容に応じて使用時計の選択を行う。
【００３７】
例えば、選択テーブルに、時刻情報を付して送信する必要があるエレベーター情報の内容毎に、使用時計の情報が登録される。かかる場合、選択部２３は、Ｓ２０２において、送信するエレベーター情報の内容と選択テーブルとに基づいて使用時計を選択する。表２は、選択テーブルの他の例を示す図である。
【００３８】
【表２】
2019239561.tif 000004
【００３９】
例えば、表２に示す選択テーブルが記憶部２８に記憶されている場合を考える。かかる場合、エレベーター装置１の電源がオフになったことを示す情報を送信部２６が送信するのであれば、選択部２３は、時計２０を使用時計として選択する。エレベーター装置１に備えられた特定の基板に故障が発生したことを示す情報を送信部２６が送信するのであれば、選択部２３は、時計２１を使用時計として選択する。閉じ込めが発生したことを示す情報を送信部２６が送信するのであれば、選択部２３は、時計２０及び時計２１の双方を使用時計として選択する。
【００４０】
送信部２６は、選択部２３が選択した使用時計からの時刻情報をエレベーター情報に付して送信する（Ｓ２０３）。例えば、送信部２６は、選択部２３が時計２０を使用時計として選択すると、時計２０からの時刻情報をエレベーター情報に付して送信処理を行う。送信部２６は、選択部２３が時計２１を使用時計として選択すると、時計２１からの時刻情報をエレベーター情報に付して送信処理を行う。送信部２６は、選択部２３が時計２０及び時計２１の双方を使用時計として選択すると、時計２０からの時刻情報と時計２１からの時刻情報とをエレベーター情報に付して送信処理を行う。
【００４１】
図４に示す例であれば、複数の時計を利用したエレベーター情報の送信が可能になる。例えば、時計２０は、ビル管理用の時計に合わせられる。送信部２６は、時計２０からの時刻情報が付されたエレベーター情報を、例えば通信装置４を介してビルの管理室に送信する。時計２１は、エレベーター装置１の保守用の時計に合わせられる。送信部２６は、時計２１からの時刻情報が付されたエレベーター情報を、例えば通信装置４を介してサーバ５に送信する。時計２０或いは時計２１は、例えば外部機関から指定された時計に合わせられても良い。保守装置１８は３つ目の時計を備え、その時計が外部機関から指定された時計に合わせられても良い。外部機関には、例えばエレベーターに関連する機関、地方公共団体の機関、及び国の機関等が含まれる。
【００４２】
図５は、保守装置１８の他の動作例を示すフローチャートである。図５に示す例では、選択部２３が、保守装置１８が備える時計の中から１つの時計を使用時計として選択する（Ｓ３０１）。例えば、選択部２３は、時計２０を使用時計として選択する。
【００４３】
動作制御部２７は、特定動作の開始条件が成立したか否かを判定する（Ｓ３０２）。動作制御部２７は、選択部２３が選択した使用時計からの時刻情報に基づいて、Ｓ３０２の判定を行う。動作制御部２７は、特定動作の開始条件が成立すると、その特定動作を開始する（Ｓ３０３）。
【００４４】
例えば、選択テーブルに、時刻情報に応じて開始する必要がある特定動作の内容毎に、使用時計の情報と開始日時の情報とが登録される。表３は、選択テーブルの他の例を示す図である。
【００４５】
【表３】
2019239561.tif 000005
【００４６】
例えば、表３に示す選択テーブルが記憶部２８に記憶されている場合を考える。かかる場合、動作制御部２７は、例えば時計２０からの時刻情報に基づいて現在時刻が月曜日の１９：００であると判定すると、非停止階の設定を開始する。非停止階は、かご１１が停止することを禁止する階である。例えば、ビルの５階の店舗の営業が１９時で終了し、他の階の店舗の営業が１９時以降も続く場合に、１９時になると５階が非停止階に設定される。
【００４７】
保守装置１８では、保守装置１８が備える時計毎に、図５に示す動作が行われる。例えば、Ｓ３０１において、選択部２３は、時計２１を使用時計として選択する。かかる場合、動作制御部２７は、時計２１からの時刻情報に応じて、特定動作を開始する。例えば、動作制御部２７は、時計２１からの時刻情報に基づいて現在時刻が第１日曜日の３：００であると判定すると、診断運転を開始する。
【００４８】
図５に示す例では、選択部２３は、動作制御部２７が行う特定動作の内容に応じて使用時計を選択する。そして、動作制御部２７は、選択部２３が選択した使用時計からの時刻情報に応じて特定動作を開始する。図５に示す例であれば、複数の時計を利用した特定動作の実行が可能になる。例えば、時計２０は、ビル管理用の時計に合わせられる。これにより、ビル管理に必要なエレベーターの動作をビルの他のシステムで行われる動作に合わせることができる。時計２１は、エレベーター装置１の保守用の時計に合わせられる。時計２０或いは時計２１は、例えば外部機関から指定された時計に合わせられても良い。保守装置１８は３つ目の時計を備え、その時計が外部機関から指定された時計に合わせられても良い。外部機関には、例えばエレベーターに関連する機関、地方公共団体の機関、及び国の機関等が含まれる。
【００４９】
また、図２に示すように、保守装置１８は、時刻調整部２４を更に備えても良い。時刻調整部２４は、保守装置１８に備えられた各時計の時刻を調整する。
【００５０】
例えば、ビル管理用の時計は、ビル内の他のシステムに備えられる。ビル管理用の時計から出力された時刻情報は、通信装置４によって受信される。時刻調整部２４は、時計２０から出力される時刻情報を通信装置４が受信したこの時刻情報に合わせる。他の例として、制御装置１７に、マスター時計が備えられる。保守装置１８は、このマスター時計から出力された時刻情報を制御装置１７から受信する。時刻調整部２４は、時計２１から出力される時刻情報を制御装置１７から受信したこの時刻情報に合わせる。
【００５１】
他の例として、外部機関からの時刻情報は、通信装置４によって受信される。時刻調整部２４は、時計２０から出力される時刻情報を通信装置４が受信したこの時刻情報に合わせても良い。時刻調整部２４は、時計２１から出力される時刻情報を通信装置４が受信したこの時刻情報に合わせても良い。保守装置１８が３つ目の時計を備える場合、時刻調整部２４は、この３つ目の時計から出力される時刻情報を通信装置４が受信した外部機関からの時刻情報に合わせても良い。
【００５２】
他の例として、時刻調整部２４は、制御装置１７から受信した情報に基づいて、時計２０の時刻と時計２１の時刻との双方を調整しても良い。例えば、制御装置１７に、第１マスター時計と第２マスター時計とが備えられる。保守装置１８は、第１マスター時計から出力された時刻情報を制御装置１７から受信する。時刻調整部２４は、時計２０から出力される時刻情報を第１マスター時計からの時刻情報に合わせる。また、保守装置１８は、第２マスター時計から出力された時刻情報を制御装置１７から受信する。時刻調整部２４は、時計２１から出力される時刻情報を第２マスター時計からの時刻情報に合わせる。
【００５３】
他の例として、時刻調整部２４は、通信装置４が受信した情報に基づいて、時計２０の時刻と時計２１の時刻との双方を調整しても良い。上述したように、ビル管理用の時計から出力された時刻情報は、通信装置４によって受信される。時刻調整部２４は、時計２０から出力される時刻情報を通信装置４が受信したこの時刻情報に合わせる。また、外部機関からの時刻情報は、通信装置４によって受信される。時刻調整部２４は、時計２１から出力される時刻情報を通信装置４が受信したこの時刻情報に合わせる。
【００５４】
他の例として、時刻調整部２４は、保守員が所有する専用端末からの時刻情報に基づいて、時計２０の時刻或いは時計２１の時刻を調整しても良い。例えば、上記専用端末は、保守装置１８に直接接続される。時刻調整部２４は、時計２０或いは時計２１から出力される時刻情報をこの専用端末からの時刻情報に合わせる。時刻調整部２４は、この専用端末からの時刻情報に基づいて、時計２０の時刻及び時計２１の時刻の双方を調整しても良い。
【００５５】
次に、エレベーター装置１が設置されている地域とコールセンター３が設置されている地域とに時差がある例について説明する。例えば、閉じ込めが発生すると、かご１１に乗っている人はインターホン１９からコールセンター３にいるオペレーター８を呼び出す。オペレーター８は、かご１１に乗っている人と電話７で話をする。また、オペレーター８は、閉じ込めが発生したエレベーター装置１に関するエレベーター情報を監視端末６の表示器に表示される。
【００５６】
監視端末６の表示器に表示されるエレベーター情報は、サーバ５に記憶されているエレベーター情報である。サーバ５には、エレベーター装置１から送信されてきたエレベーター情報が記憶されている。例えば時計２０は、エレベーター装置１が設置されている地域とコールセンター３が設置されている地域との時差情報を時刻情報として出力しても良い。これにより、例えば、閉じ込めが発生したエレベーター装置１に関するエレベーター情報を、コールセンター３が設置されている地域の時刻に合わせた時刻情報とともに監視端末６の表示器に表示させることができる。また、コールセンター３からエレベーター装置１に対して動作指令が送信された場合に、動作制御部２７は、時計２０からの時刻情報、即ち時差情報に応じて、特定動作を開始する。これにより、オペレーター８は、エレベーター装置１が設置されている地域とコールセンター３が設置されている地域との時差を考慮せずに、動作指令を送信することができる。
【００５７】
本実施の形態において、符号２２〜２８に示す各部は、保守装置１８が有する機能を示す。図６は、保守装置１８のハードウェア資源の例を示す図である。保守装置１８は、ハードウェア資源として、例えばプロセッサ４１とメモリ４２とを含む処理回路４０を備える。記憶部２８の機能は、例えばメモリ４２によって実現される。保守装置１８は、メモリ４２に記憶されたプログラムをプロセッサ４１によって実行することにより、符号２２〜２７に示す各部の機能を実現する。
【００５８】
プロセッサ４１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ４２として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【００５９】
図７は、保守装置１８のハードウェア資源の他の例を示す図である。図７に示す例では、保守装置１８は、例えばプロセッサ４１、メモリ４２、及び専用ハードウェア４３を含む処理回路４０を備える。図７は、保守装置１８が有する機能の一部を専用ハードウェア４３によって実現する例を示す。保守装置１８が有する機能の全部を専用ハードウェア４３によって実現しても良い。専用ハードウェア４３として、単一回路、複合回路、プログラム化したプロセッサ、並列プログラム化したプロセッサ、ＡＳＩＣ、ＦＰＧＡ、又はこれらの組み合わせを採用できる。
【００６０】
なお、保守装置１８が有する機能の一部は、制御装置１７に備えられても良い。また、保守装置１８が有する機能の全部が制御装置１７に備えられても良い。即ち、エレベーター装置１は、保守装置１８を制御装置１７の一部として備えても良い。
【産業上の利用可能性】
【００６１】
例えば、この発明に係る保守装置は、既設のエレベーター装置にも適用できる。
【符号の説明】
【００６２】
１  エレベーター装置、  ２  データセンター、  ３  コールセンター、  ４  通信装置、  ５  サーバ、  ６  監視端末、  ７  電話、  ８  オペレーター、  ９  ＩＰネットワーク、  １０  ＩＰネットワーク、  １１  かご、  １２  つり合いおもり、  １３  昇降路、  １４  主ロープ、  １５  巻上機、  １６  駆動綱車、  １７  制御装置、  １８  保守装置、  １９  インターホン、  ２０  時計、  ２１  時計、  ２２  処理部、  ２３  選択部、  ２４  時刻調整部、  ２５  記録部、  ２６  送信部、  ２７  動作制御部、  ２８  記憶部、  ４０  処理回路、  ４１  プロセッサ、  ４２  メモリ、  ４３  専用ハードウェア
【図１】
2019239561.tif 000006
【図２】
2019239561.tif 000007
【図３】
2019239561.tif 000008
【図４】
2019239561.tif 000009
【図５】
2019239561.tif 000010
【図６】
2019239561.tif 000011
【図７】
2019239561.tif 000012
【国際調査報告】
2019239561.tif 000013
2019239561.tif 000014
2019239561.tif 000015